(57)【特許請求の範囲】
【請求項１】
加熱庫と、前記加熱庫の前側に設けた開口に対して手前方向に水平に引き出し可能であって、前記開口を開閉する扉とを備えた加熱装置であって、
前記扉は、
前記扉の上側に設けられ、外方から前記加熱庫内部を視認可能なガラス板を有する上側部と、
前記上側部の下方に設けられた下側部と
を備え、
前記下側部の前面には、正面視左右方向に延びる板状の取手部が設けられ、
前記取手部は、
前記取手部の前記左右方向の全域に亘って設けられ、前記下側部の前記前面から前記扉の前方に対して斜め上方に傾斜して延びる傾斜部を備えたこと
を特徴とする加熱装置。
【請求項２】
前記取手部は、
前記傾斜部の前端部から前記加熱庫の前側に屈曲して延びる前方延設部を備え、
前記扉の前面側を前記扉の前方から見下ろした場合に、
前記前方延設部の上面は、前記傾斜部の上面よりも明るく視認される面であることを特徴とする請求項１に記載の加熱装置。
【請求項３】
前記傾斜部の左右方向両端部から前記前方延設部の前端部の両角部にかけて、前側が先細りになるテーパ状に形成されたことを特徴とする請求項２に記載の加熱装置。
【請求項４】
前記取手部の下面には、
前記左右方向に延び、且つ前記下面から凸状に突出する凸状部が設けられた
ことを特徴とする請求項１から３の何れかに記載の加熱装置。
【請求項５】
前記凸状部は、前記取手部の前記下面から、前記扉の前方に対して斜め下方に傾斜して突出することを特徴とする請求項４に記載の加熱装置。
【発明の詳細な説明】
【技術分野】
【０００１】
本発明は、加熱装置に関する。
【背景技術】
【０００２】
従来、グリル庫の開口を開閉するグリル扉にガラス部を備えるガスコンロが利用されている。使用者はガラス部を介して、グリル庫内におけるグリルバーナの火力や、焼き網上に載置された被調理物の加熱具合等を確認できる。このようなガスコンロのデザイン性を向上する為に、グリル扉の表面のレイアウトを変更することが考えられる。例えば、電磁調理器のグリルの扉であって、把手（取手部）を扉前面の上部に設けたものが知られている（例えば、特許文献１参照）。
【先行技術文献】
【特許文献】
【０００３】
【特許文献１】特開２０１０−１６９３５１号公報
【発明の概要】
【発明が解決しようとする課題】
【０００４】
しかしながら、扉前面にある取手部は、一般的に、前方に向かって水平に突出しているので、扉前面において目立ってしまい、フラット感のあるデザインを形成することが困難であった。
【０００５】
本発明の目的は、加熱庫の扉前面にフラット感のあるデザインを形成できる加熱装置を提供することである。
【課題を解決するための手段】
【０００６】
本発明の請求項１に係る加熱装置は、加熱庫と、前記加熱庫の前側に設けた開口に対して手前方向に水平に引き出し可能であって、前記開口を開閉する扉とを備えた加熱装置であって、前記扉は、前記扉の上側に設けられ、外方から前記加熱庫内部を視認可能なガラス板を有する上側部と、前記上側部の下方に設けられた下側部とを備え、前記下側部の前面には、正面視左右方向に延びる板状の取手部が設けられ、前記取手部は、前記取手部の前記左右方向の全域に亘って設けられ、前記下側部の前記前面から前記扉の前方に対して斜め上方に傾斜して延びる傾斜部を備えたことを特徴とする。
【０００７】
また、請求項２に係る発明の加熱装置は、請求項１に記載の発明の構成に加え、前記取手部は、前記傾斜部の前端部から前記加熱庫の前側に屈曲して延びる前方延設部を備え、前記扉の前面側を前記扉の前方から見下ろした場合に、前記前方延設部の上面は、前記傾斜部の上面よりも明るく視認される面であることを特徴とする。
【０００８】
また、請求項３に係る発明の加熱装置は、請求項２に記載の発明の構成に加え、前記傾斜部の左右方向両端部から前記前方延設部の前端部の両角部にかけて、前側が先細りになるテーパ状に形成されたことを特徴とする。
【０００９】
また、請求項４に係る発明の加熱装置は、請求項１から３の何れかに記載の発明の構成に加え、前記取手部の下面には、前記左右方向に延び、且つ前記下面から凸状に突出する凸状部が設けられたことを特徴とする。
【００１０】
また、請求項５に係る発明の加熱装置は、請求項４に記載の発明の構成に加え、前記凸状部は、前記取手部の前記下面から、前記扉の前方に対して斜め下方に傾斜して突出することを特徴とする。
【発明の効果】
【００１１】
請求項１に係る発明の加熱装置では、調理の際、使用者は加熱庫の前側に立ち、上方から扉の前面を見下ろす。取手部は、傾斜部において斜め上方に傾斜して延びているので、使用者が取手部を見下ろした場合、傾斜部の傾斜する方向は、使用者の視線方向に対してより平行に近い位置関係となる。この位置関係は、使用者に対して、傾斜部の斜め上方に延びる実際の長さよりも短く見える錯覚を生じさせるので、使用者から見て取手部の立体感が薄れる。よって、扉の前面において、取手部を目立たなくすることができるので、すっきりとした印象を使用者に与えることができ、扉の前面にフラット感のあるデザインを形成できる。
【００１２】
また、請求項２に係る発明の加熱装置は、請求項１に記載の発明の効果に加え、取手部は、前方延設部において前側に屈曲して延びているので、取手部に対して手を掛け易くなり、操作性が向上する。また、前方延設部の上面は、上方からの外光が当たり易いので、明るく見える。これに対し、傾斜部の上面は、扉の前面側に斜めに向けられているので、前方延設部の上面よりも暗く見える。よって、扉の前面を上方から見下ろした場合、傾斜部の上面が縞模様に見えるので、取手部としての立体感が薄れ、フラット感をより強調できる。
【００１３】
また、請求項３に係る発明の加熱装置は、請求項２に記載の発明の効果に加え、扉の前面を前方から見下ろした場合に、取手部の前端部の両角部が扉の左右両側から外側に張り出す部分を小さく、又は無くすことができる。これにより、取手部の立体感が更に薄れるので、取手部を更に目立たなくすることができる。
【００１４】
また、請求項４に係る発明の加熱装置は、請求項１から３の何れかに記載の発明の効果に加え、取手部の下面に凸状部が設けられているので、凸状部に指を引っ掛けて扉を前方に引き出すことができる。また、凸状部は取手部の下面に設けられているので、取手部を見下ろした場合、凸状部が隠れる。よって、すっきりとした印象を使用者に与えることができる。
【００１５】
また、請求項５に係る発明の加熱装置は、請求項４に記載の発明の効果に加え、凸状部は、取手部の下面から、扉の前方に対して斜め下方に傾斜して突出する。よって、取手部を前方から見た場合、凸状部の突出する高さが低く見えるので、凸状部を目立たなくすることができ、すっきりとした印象を使用者に与えることができる。取手部を前方から見た場合、取手部の下面は、上方からの光が遮られるので、暗く見える。また、凸状部の前面も、前方延設部の下面に対して斜めに向けられているので、暗く見える。よって、凸状部は、取手部の下面において目立たないので、すっきりとした印象を使用者に与えることができる。また、扉の前面において、取手部の下面が黒い縞模様に見えるので、取手部としての立体感が薄れる。よって、扉の前面のフラット感をより強調できる。
【図面の簡単な説明】
【００１６】
【図１】コンロ１の斜視図である。
【図２】コンロ１の正面図である。
【図３】グリル扉８の斜視図である。
【図４】グリル扉８の正面図である。
【図５】取手部３０周囲の縦断面図である。
【図６】グリル扉８の前面を右斜め上方から見下ろして撮影した写真である。
【図７】グリル扉８の前面を真正面の上方から見下ろして撮影した写真である。
【図８】グリル扉８の前面を前方から撮影した写真である。
【発明を実施するための形態】
【００１７】
以下、本発明の実施形態について、図面を参照して説明する。本実施形態では、図１，図３中に示す方向を用いて説明する。図１に示すコンロ１は、図示しないキッチンのカウンタトップの開口に落とし込まれて設置されるビルトインコンロである。
【００１８】
図１，図２を参照し、コンロ１の構造について説明する。コンロ１は略直方体状の器具本体２を備える。器具本体２の上部には、トッププレート３が取り付けられている。トッププレート３の右手前には右コンロ４、左手前には左コンロ５、中央奥側には奥コンロ６が夫々設けられている。各コンロ４〜６には、イグナイタと熱電対（図示略）が夫々設けられている。器具本体２の中央内側には、グリル庫（図示略：本発明の加熱庫に相当）が設置されている。トッププレート３の後ろ側には、グリル庫と連通する排気口７が設けられている。
【００１９】
器具本体２の前面略中央には、グリル扉８が設けられている。グリル扉８は、正面視横長の長方形状に形成され、グリル庫の前側に設けられたグリル開口（図示略）を開閉する。グリル扉８の前面には、後述する取手部３０が設けられている。グリル扉８は、グリル庫内に設けられたレール機構（図示略）によって、前後方向にスライド可能である。使用者は、取手部３０に手を掛け、グリル扉８を手前側に引き出すと、焼き網と受皿（図示略）をグリル庫外に同時に取り出すことができる。
【００２０】
器具本体２の前面の右上角部には、電源スイッチ１０が設けられている。その電源スイッチ１０の下側には、右側から左側に向かって順に、点火ボタン１１〜１３が横一列に設けられている。グリル扉８の左側には、点火ボタン１１〜１３と同一高さ位置に、点火ボタン１４が設けられている。点火ボタン１１は右コンロ４、点火ボタン１２は左コンロ５、点火ボタン１３は奥コンロ６、点火ボタン１４はグリルバーナ（図示略）を点火／消火する為に夫々押下される。点火ボタン１１〜１４は、点火の為に押下されると、周知のプッシュオン・プッシュオフ機構（図示略）によって、器具本体２前面から前方に円柱状に突出し、該突出した状態で回動操作が可能となる。使用者は、点火ボタン１１〜１４を夫々回動させることによって、各種コンロ４〜６、及びグリルの火力調節ができる。
【００２１】
電池交換ランプ２０の下方にはパネル１６が設けられ、点火ボタン１４の下方にはパネル１７が設けられている。パネル１６を指で押し込むと、周知のプッシュオン・プッシュオフ機構（図示略）によって、パネル１６の背面に固定されたコンロ用操作部（図示略）が下部を基点に前方に回動して引き出され、コンロ操作が可能となる。パネル１７を指で押し込むと、上記同機構によって、パネル１７の背面に固定されたグリル用操作部（図示略）が下部を基点に前方に回動して引き出され、グリル操作が可能となる。
【００２２】
これらパネル１６，１７を器具本体２側に再度押し込むと、コンロ用操作部及びグリル用操作部が器具本体２の内側に収納され、パネル１６，１７は器具本体２の前面に対して面一となる位置で止まる。パネル１６をコンロ用操作部から取り外すと、該コンロ用操作部の下部に設けられた開口（図示略）が露出する。その開口の奥側には、電池ボックス（図示略）が出し入れ可能に設置されている。電池ボックスは、コンロ１の電源としての乾電池を格納する。
【００２３】
図３，図４を参照し、グリル扉８の前面形状について説明する。図３，図４に示すように、グリル扉８の前面は、正面視長方形状の上側部２１と下側部２２を上下に備える。上側部２１と下側部２２は、何れも正面視横長長方形状であり、それらの高さの比率は、ほぼ１：１である。上側部２１はガラス板を有し、その略中央には、窓部２５が設けられている。窓部２５は、正面視横長長方形状に形成されている。窓部２５は、例えば、ガラス板に黒色のパターン印刷を施すことで形成される。使用者は、窓部２５を介して、グリル庫内のグリルバーナ（図示略）の燃焼状態や、被調理物の焼け具合等を確認できる。
【００２４】
下側部２２は、樹脂製のパネルで形成されている。その下側部２２の上下方向中段位置よりもやや上側には、左右方向に延びる板状の取手部３０が設けられている。なお、取手部３０の具体的形状は後述する。下側部２２は、取手部３０を境にして上下に、上側面２２Ａと下側面２２Ｂを備える。上側面２２Ａと下側面２２Ｂは、何れも正面視横長長方形状であり、それらの高さの比率は、ほぼ１：２である。
【００２５】
このように、グリル扉８の前面は、長方形状の上側部２１と下側部２３で上下に区画され、その境界線は左右方向に延びる直線状である。更に、窓部２５も左右方向に長い長方形状であり、取手部３０も左右方向に長い板状部材である。つまり、グリル扉８の前面は、複数の横長長方形と、左右方向に延びる複数の直線とが、互いに組み合わさって成り立っているので、シャープでシンプルなデザインとなっている。そして、後述するように、取手部３０は、使用者から見て立体感を感じ難い形状であることから、グリル扉８の前面に、フラット感が付与されている。
【００２６】
図３〜図５を参照し、取手部３０の形状について、具体的に説明する。図３，図４に示すように、取手部３０は、左右方向に長い樹脂製の板状部材であり、傾斜部３１、前方延設部３２、凸状部３７を備える。図３，図５に示すように、傾斜部３１は、グリル扉８の下側部２２の前面から前方に対して斜め上方に傾斜している。その傾斜角度は、水平面に対して２０°付近に調整されている。傾斜部３１の基部の左右方向の長さは、下側部２２の左右方向の長さと同じである。傾斜部３１の左右の両端部は、前側に向かうに従って先細りとなるテーパ状に形成されている。
【００２７】
前方延設部３２は、傾斜部３１の前端部から前側に屈曲して前方に略水平に延びている。前方延設部３２の前後方向に延びる長さは、傾斜部３１の斜め上方に延びる長さの約１／２である。前方延設部３２の左右の両端部は、傾斜部３１の左右の両端部の夫々の傾斜面と連続し、引き続き、前側に向かうに従って先細りとなるテーパ状に形成されている。前方延設部３２は、前端部の左右両側に、右前角部３５と左前角部３６を備える。右前角部３５と左前角部３６は、傾斜部３１、前方延設部３２に引き続き、前側が先細りになるテーパ状に形成されている。前方延設部３２の基部の上面と、下側部２２の前面との連結部３９（図３，図５参照）は、下側に凹む略円弧状に形成されている。
【００２８】
図５に示すように、凸状部３７は、傾斜部３１の下面と前方延設部３２の下面との境界に沿って左右方向にリブ状に設けられている。凸状部３７は、前側に対して斜め下方に傾斜して突出している。よって、使用者は、取手部３０に対して上側から手をあてるときは、凸状部３７に親指を掛けて、グリル扉８を手前に引き出すことができる。これとは逆に、取手部３０に対して下側から手をあてるときは、凸状部３７に指を掛けて、グリル扉８を手前に引き出すことができる。また、凸状部３７は、前側に対して斜め下方に傾斜しているので、凸状部３７の背面に対して指を掛け易くできる。
【００２９】
次に、取手部３０の形状と操作性の関係について説明する。図３〜図５に示すように、取手部３０は、傾斜部３１において前側に対して斜め上方に傾斜している。それ故、少なくともグリル扉８よりも高い位置から操作する使用者にとって、取手部３０が自身に向けられるので、取手部３０に対して手が掛けやすくなる。よって、取手部３０の操作性が向上する。更に、前方延設部３２が、傾斜部３１の前端部から前側に屈曲して前方に略水平に延びているので、使用者は、取手部３０に対して更に手を掛け易くなっている。また、グリル扉８の前側において、取手部３０を上方から見下ろした場合に、凸状部３７が前方延設部３２の下側に隠れるので、取手部３０全体がすっきりとした印象となっている。
【００３０】
次に、取手部３０から生じる視覚的効果について説明する。コンロ１を用いて調理を行う場合、使用者はコンロ１の前側に立つ。そのときのコンロ１の高さ位置は、使用者の腰の高さ、又はそれよりもやや高い位置である。よって、使用者はコンロ１を斜め上方から見下ろした状態で、加熱調理を行うのが一般的である。このことから、コンロ１のグリル扉８の前面のデザインは、コンロ１の前側において、上方から見下ろした状態で、使用者にどのように見えるかが重要となる。本実施形態の取手部３０は、上記形状を備えることによって、以下の視覚的効果を得ることができる。
【００３１】
−形状から生じる視覚的効果−
上記の通り、取手部３０は、傾斜部３１を備えている。それ故、傾斜部３１は、コンロ１の前側に対して斜め上方に傾斜している。これにより、グリル扉８の前面を高い位置から見下ろす使用者の視線方向に対して、傾斜部３１の傾斜する方向が、より平行に近い位置関係となる。この位置関係は、使用者に対して、傾斜部３１の前側に対して斜め上方に延びる実際の長さよりも短く見える錯覚を生じさせる。そして、そのような傾斜部３１は、取手部３０の約４分の３を占めるので、使用者から見て、取手部３０全体の立体感が薄れる視覚的効果が期待できる。これにより、グリル扉８の前面において、取手部３０を目立たなくすることができるので、グリル扉８の前面にフラット感を付与できる。
【００３２】
また、取手部３０は、傾斜部３１の左右の両端部から前方延設部３２の右前角部３５と左前角部３６にかけて、前側が先細りとなるようにテーパ状に形成されている。これにより、前方延設部３２の右前角部３５と左前角部３６を、下側部２２の中央に寄せて配置できるので、例えば図６の写真に示すように、グリル扉８の前面を右斜め上方から見下ろした場合に、右前角部３５は下側部２２の右端部から外側に突出せず、左前角部３６については、下側部２２の左端部から外側に突出する部分が小さくなっている。また、図７の写真に示すように、グリル扉８の前面を真正面の上方から見下ろした場合、右前角部３５と左前角部３６は、何れにおいても、下側部２２の左右の両端部から外側に突出していない。よって、取手部３０の形状をより目立たなくすることができる。
【００３３】
−外光の当たり方によって生じる視覚的効果−
図６は、グリル扉８の前面を右斜め上方から見下ろす位置で撮影した写真である。図７は、グリル扉８の前面を上方から見下ろす位置で撮影した写真である。図８は、グリル扉８の前面を前方から撮影した写真である。コンロ１が設置されるキッチンでは、照明器具は天井に設置されているのが一般的であるので、図６〜図８の写真は、天井に照明器具がある部屋を想定して撮影した。
【００３４】
図６の写真に示すように、天井に照明器具がある部屋で、グリル扉８の前面を右斜め上方から見下ろした場合、下側部２２の上側面２２Ａと、取手部３０の前方延設部３２の上面とが明るく見えている。これに対し、下側部２２の下側面２２Ｂと、取手部３０の傾斜部３１の上面は暗く見えている。なお、図７の写真でも、同様に見えている。
【００３５】
ここで、外光の当たり方について考察する。上方からの光は、取手部３０の前方延設部３２の上面に最も当たり易く、その光は反射して周囲に拡散する。よって、前方延設部３２の上面は明るく見える。傾斜部３１の上面にも上方からの光が当たるが、傾斜部３１の上面は下側部２２の上側面２２Ａ側に斜めに向けられているので、その反射した光は上側面２２Ａに当たる。よって、グリル扉８の前面を上方から見下ろした場合、下側部２２の上側面２２Ａは明るく見えるが、傾斜部３１の上面は暗く見える。このとき、傾斜部３１の上面は、下側部２２の上側面２２Ａと、前方延設部３２の上面との間で、縞模様のように見えるので、取手部３０の立体感が薄れる。従って、取手部３０は、上方からの光が当たることによって、グリル扉８の前面のフラット感が更に強調される。
【００３６】
また、図８に示すように、グリル扉８の前面を前方から見た場合、取手部３０は、傾斜部３１において斜め上方に傾斜しているので、傾斜部３１の下面側と、凸状部３７の前面が露出して見える。そして、取手部３０の前方延設部３２の前端面は、上下方向に対して略平行な面であるので、下側部２２の上側面２２Ａとほぼ同じ明るさで見えている。更に、前方延設部３２は略水平に前方に延びているので、その奥行感は殆ど感じられない。また、傾斜部３１の下面側は、上方からの光が遮られるので、下側部２２の上側面２２Ａ及び前方延設部３２の前端面よりも暗く見えている。
【００３７】
そして、傾斜部３１の下面側には、凸状部３７の前面が見えるが、凸状部３７は前側に対して斜め下方に突出しているので、凸状部３７の前面は、前方延設部３２の下面側に対して斜めに向けられている。それ故、凸状部３７の前面は、下側部２２の上側面２２Ａ及び前方延設部３２の前端面よりも暗く見えるが、その後方にある傾斜部３１の下面も暗く見えているので、凸状部３７は殆ど目立たない。その結果、取手部３０は、傾斜部３１の下面によって黒い縞模様のように見える。従って、取手部３０は、真正面から見た場合でも立体感は薄れるので、グリル扉８の前面のフラット感が更に強調される。
【００３８】
また、図６，図７に示すように、前方延設部３２の基部の上面と、下側部２２の前面との連結部３９は、下側に凹む略円弧状に形成されている。これにより、その連結部３９の底部において、上方からの光が当たり易くなるので、グリル扉８の前面を上方から見下ろした場合、その連結部３９が縞模様のように光って見える。これにより、使用者は、取手部３０を見た時に、周囲よりも光って見える連結部３９に注目するので、取手部３０の立体感は薄れる。
【００３９】
以上説明したように、本実施形態のコンロ１は、器具本体２の前面の中央にグリル扉８を備える。グリル扉８は、グリル庫の前側に設けたグリル開口を開閉する。グリル扉８の前面には、取手部３０が設けられている。取手部３０は正面視左右方向に延びる形状を備える。取手部３０は、グリル扉８の前面からグリル庫の前側に対して斜め上方に傾斜して延びる傾斜部３１を備える。グリル庫を使用する場合、使用者はグリル扉８の前側に立ち、やや上方からグリル扉８の前面を見下ろす。取手部３０は、傾斜部３１において斜め上方に傾斜して延びているので、使用者がその位置から取手部３０を見た場合、傾斜部３１の傾斜する方向は、使用者の視線方向に対してより平行に近い位置関係となる。この位置関係は、使用者に対して、傾斜部３１の前側に対して斜め上方に延びる実際の長さよりも短く見える錯覚を生じさせるので、使用者から見て取手部３０の立体感が薄れる。これにより、グリル扉８の前面において、取手部３０を目立たなくすることができ、すっきりとした印象を使用者に与えることができる。よって、グリル扉８の前面にフラット感を形成できる。
【００４０】
また、上記実施形態では更に、取手部３０は前方延設部３２において前側に屈曲して延びているので、取手部３０に手を掛け易くなり、操作性が向上する。また、前方延設部３２の上面は、上方からの外光が当たり易いので、明るく見える。これに対し、傾斜部３１の上面は、グリル扉８の前面側に斜めに向けられているので、前方延設部３２の上面よりも暗く見える。よって、グリル扉８の前面を上方から見下ろした場合、傾斜部３１の上面が縞模様に見えるので、取手部３０の立体感は薄れ、グリル扉８の前面のフラット感をより強調できる。
【００４１】
また、上記実施形態では更に、傾斜部３１の左右方向両端部から前方延設部３２の前端部の右前角部３５及び左前角部３６にかけて、前側が先細りになるテーパ状に形成されている。これにより、グリル扉８の前面を前方から見下ろした場合、右前角部３５及び左前角部３６が、グリル扉８の左右の両側から外側に張り出す部分を小さくできる。これにより、取手部３０の立体感が薄れるので、目立たなくすることができる。
【００４２】
また、上記実施形態では更に、取手部３０の下面に凸状部３７が設けられているので、凸状部３７に指を引っ掛けてグリル扉８を前方に引き出すことができる。また、凸状部３７は取手部３０の下面に設けられているので、取手部３０を見下ろした場合、凸状部３７が隠れるので、すっきりとした印象を使用者に与えることができる。
【００４３】
また、上記実施形態では更に、凸状部３７は、取手部３０の下面から、グリル扉８の前方に対して斜め下方に傾斜して突出する。これにより、取手部３０を前方から見た場合、凸状部３７の突出する長さが短く見えるので、凸状部３７を目立たなくすることができ、すっきりとした印象を使用者に与えることができる。また、凸状部３７の前面は、前方延設部３２の下面に対して斜めに向けられるので、グリル扉８の下側部２２の上側面２２Ａや、前方延設部３２の先端面よりも暗く見える。さらに、取手部３０の下面も、上方からの光が遮られるので暗く見える。これにより、グリル扉８の前面を前方から見た場合、凸状部３７は、取手部３０の下面において均等の暗さで見えるので目立たない。さらに、グリル扉８の前面において、取手部３０の下面が縞模様に見えるので、取手部３０の立体感は薄れ、グリル扉８の前面のフラット感をより強調できる。
【００４４】
なお、本発明は上記実施形態に限定されるものではなく、種々の変更が可能である。本実施形態のコンロ１は、ビルトインコンロであるが、テーブルコンロであってもよい。また、本発明の加熱装置の一例として、コンロ以外に、加熱庫を備える加熱装置であればよく、例えば、グリル装置、魚焼き器、オーブン、蒸し器等であってもよい。
【００４５】
また、上記実施形態のグリル扉８の前面は、上側部２１と下側部２２に分割して構成されているが、必ずしも分割されていなくてもよく、図３に示すデザインとは異なるデザインであってもよい。また、取手部３０は、グリル扉８の前面の下側部２２の上側寄りに設けられているが、どの高さ位置に設けてもよく、グリル扉８の前面の上部、又は下部に設けてもよい。
【００４６】
また、上記実施形態の取手部３０の傾斜部３１の傾斜角度は２０°付近に調整されているが、これ以外の角度でもよいが、１５°〜２５°の範囲内に調整されるのが好ましい。
【００４７】
また、上記実施形態の取手部３０は、傾斜部３１の前側に前方延設部３２を備えているが、前方延設部３２は省略してもよい。さらに、前方延設部３２は、前方に屈曲して略水平に前方に延びているが、略水平でなくてもよく、傾斜部３１の傾斜角度よりも小さい傾斜角度であればよい。
【００４８】
また、上記実施形態の取手部３０は、下面側に凸状部３７を備えているが、凸状部３７は省略してもよい。さらに、凸状部３７は、グリル扉８の前方に対して斜め下方に傾斜して突出するが、突出する方向はこれ以外でもよい。例えば、下方でもよく、グリル扉８の後方に対して斜め下方に傾斜してもよい。また、凸状部３７の突出する高さは、図５に示す例よりも長くても、短くてもよく、例えば、断面半円状、又は矩形状にしてもよい。また、凸状部３７のように突出させる代わりに、断面半円状、又は矩形状に凹ませてもよい。
【００４９】
また、上記実施形態では、傾斜部３１の左右の両端部から前方延設部３２の前端部の右前角部３５と左前角部３６にかけて、前側が先細りになるテーパ状に形成するが、例えば、傾斜部３１の左右の両端部を前後方向に平行な端面とし、前方延設部３２の前端部の右前角部３５と左前角部３６についてのみ、前側が先細りになるテーパ状に形成してもよい。
【符号の説明】
【００５０】
１    コンロ
８    グリル扉
３０    取手部
３１    傾斜部
３２    前方延設部
３７    凸状部
【図１】
0006404027.tif 000002
【図２】
0006404027.tif 000003
【図３】
0006404027.tif 000004
【図４】
0006404027.tif 000005
【図５】
0006404027.tif 000006
【図６】
0006404027.tif 000007
【図７】
0006404027.tif 000008
【図８】
0006404027.tif 000009